(57)【要約】【課題】電源電圧の変動の影響を受けない安定した記録を可能にする。【解決手段】外部機器から送信された情報に基づいて、記録ヘッドを記録媒体上に対して相対的に走査させて記録を行う記録装置は、外部機器から送信された情報を記録ヘッド（２１００）の構成に合わせた記録データに変換する記録データ生成部と、変換された記録データを処理するために、記録素子に印加する電源電圧を供給する電源部（１５０８）と、記録素子に供給される電圧値を検出する電圧検出部（１５０９）と、記録素子を駆動する一定のエネルギを供給するために、検出された電圧値に応じて、電源電圧のパルス幅を設定する制御部と、を備える。【選択図】　図１０
2004074747.tif 000002
【特許請求の範囲】
【請求項１】
外部機器から送信された情報に基づいて、記録ヘッドを記録媒体に対して相対的に走査させて記録を行う記録装置であって、
前記外部機器から送信された情報を前記記録ヘッドの構成に合わせた記録データに変換する記録データ生成手段と、
前記変換された記録データを処理するために、記録素子に印加する電源電圧を供給する電源部と、
前記記録素子に供給される電圧値を検出する電圧検出部と、
前記記録素子を駆動する一定のエネルギを供給するために、前記検出された電圧値に応じて、前記電源電圧のパルス幅を設定する制御部と、
を備えることを特徴とする記録装置。
【請求項２】
前記制御部は、前記電源電圧のパルス幅を変調して、前記電源電圧の電圧降下量を補正することを特徴とする請求項１に記載の記録装置。
【請求項３】
前記電圧検出部は、前記記録ヘッド内に構成されていることを特徴とする請求項１に記載の記録装置。
【請求項４】
前記記録素子を駆動するための駆動回路と、前記電圧検出部とが、同一の素子基板上に形成されていることを特徴とする請求項１に記載の記録装置。
【請求項５】
前記記録素子はブロック単位に分割して駆動制御され、
前記電圧検出部は、前記記録素子に電源電圧が供給される前に、該ブロックと前記電源部との電圧値をそれぞれ検出し、
前記制御部は、該検出結果に基づいてパルス幅をブロック単位に設定することを特徴とする請求項１に記載の記録装置。
【請求項６】
前記電圧検出部は、前記記録素子の駆動中に前記電圧値を検出し、
前記制御部は、該検出結果に基づいて前記パルス幅の終端を設定することを特徴とする請求項１または５に記載の記録装置。
【請求項７】
前記制御部は、前記電圧検出部により検出されたされた電圧値が、許容範囲内にない場合は、前記記録素子の駆動を停止させることを特徴とする請求項１に記載の記録装置。
【請求項８】
前記記録ヘッドは、インクを吐出して記録を行うインクジェット記録ヘッドであることを特徴とする請求項１に記載の記録装置。
【請求項９】
前記記録ヘッドは、熱エネルギーを利用してインクを吐出する記録ヘッドであって、インクに与える熱エネルギーを発生するための熱エネルギー変換体を備えていることを特徴とする請求項１に記載の記録装置。
【請求項１０】
外部機器から送信された情報に基づいて、記録ヘッドを記録媒体に対して相対的に走査させて記録を行う記録装置の制御方法であって、
前記外部機器から送信された情報を前記記録ヘッドの構成に合わせた記録データに変換する記録データ生成工程と、
前記変換された記録データを処理するために、記録素子に印加する電源電圧を電源部から供給する電源供給工程と、
前記記録素子に供給される電圧値を検出処理する電圧検出工程と、
前記記録素子を駆動する一定のエネルギを供給するために、前記検出された電圧値に応じて、前記電源電圧のパルス幅を設定する制御工程と、
を有することを特徴とする記録装置の制御方法。
【請求項１１】
前記記録素子に前記電源電圧のパルスを印加中に、前記電圧値検出工程を行い、前記検出された電圧値に応じて、前記印加中の電源電圧のパルス幅の終端を設定することを特徴とする請求項１０に記載の記録装置の制御方法。
【発明の詳細な説明】
【０００１】
【発明の属する技術分野】
本発明は、記録ヘッドを駆動するための電圧値をモニタし、負荷の変動に応じて均一な駆動エネルギを供給する記録装置および記録装置の制御方法に関するものである。
【０００２】
【従来の技術】
インクジェット記録装置は、いわゆるノンインパクト記録方式の記録装置であり、高速な記録と様々な記録メディアに対して記録することが可能であり、記録時における騒音がほととんど生じないといった特徴を有する。このようなことから、プリンタ、ワードプロセッサ、ファクシミリ、複写機などの記録機構を担う装置として広く採用されている。
【０００３】
インクジェット方式の記録は、微小な吐出口から微小な液滴を吐出させ、記録媒体に対し記録を行うこともので、代表的な方法としては電気熱変換素子を用いた方法がある。このようなインクジェット記録は、一般に液滴を形成するためのノズルを持つインクジェット記録ヘッドと、このヘッドに対してインクを供給する供給系とから構成される。電気熱変換素子を用いたインクジェット記録ヘッドでは、電気熱変換素子を加圧室内に設け、これに記録信号となる電気パルスを与えることにより記録液に熱エネルギーを与え、そのときの記録液の相変化により生じる記録液の発泡（沸騰）時の気泡圧力を記録液滴の吐出に利用する。
【０００４】
上記のような電気熱変換方式を用いたインクジェット記録ヘッドの場合、電気熱変換素子が配列された基板に対して平行に記録液を吐出させる方式（エッジシューター）と電気熱変換素子が配列された基板に対して垂直に記録液を吐出させる方式（サイドシューター）がある。以下、サイドシューターを例に挙げ、インクジェット記録ヘッドおよびインクジェット記録装置の具体的な構成について説明する。
【０００５】
図１８はサイドシューターの記録ヘッドの斜視図であり、図１９は同記録ヘッドの平面図である。図２０は同記録ヘッドを使用したインクジェット記録装置の模式的斜視図である。また、図２１は同インクジェット記録装置における、同インクジェット記録ヘッドの駆動電源回路構成を模式的に示した回路図である。
【０００６】
図１９において、素子基板１の中央付近の表面側にはインクを吐出するための吐出口２が複数開口しており、各々の吐出口に対応してインクを発泡させるための不図示の加熱ヒーターが素子基板１上に形成されている。
【０００７】
各々の吐出口２に対応して、不図示の加熱ヒーターが設けられており、この加熱ヒーターからの電気配線は、これを駆動するためのトランジスタ回路に接続される。このトランジスタ回路は、素子基板上に作り込む方法と、別体に作り込んだ素子を素子基板に実装する方法とが知られている。通常、加熱ヒーターの個数が比較的少ない素子基板１においては、素子基板１上にトランジスタ回路を作り込む方法が一般的であるが、印字幅を広げる目的で、比較的多数個の加熱ヒーターを配設した素子基板においては、トランジスタ回路を作り込む構成では素子基板の歩留まりの大幅な低下を招くため、トランジスタ回路を別体に作り込んだ素子を素子基板に実装する方法の方が、歩留まり上、有利である。図１８及び図１９には、トランジスタ回路を別体の駆動素子５に作り込んだものを実装した従来例を示している。
【０００８】
図１８及び図１９においては、加熱ヒーターからの配線は、各々、素子基板１上の駆動素子５の実装部にのびており、ここに実装された駆動素子に電気的に接続されている。駆動素子５は異方性導電フィルムや、半田バンプ等によるＣＯＢ（ｃｈｉｐ　ｏｎ　ｂｏａｄ）接続方法により、素子基板１に接続されている。また、駆動素子５には、トランジスタ回路の他にトランジスタを駆動するためのロジック回路が搭載されており、そのロジック回路を駆動する信号は、素子基板１を介してフレキシブル回路基板６に接続される。さらにフレキシブル回路基板６は、ガラスエポキシ等の複合材料からなる回路基板７に接続され、回路基板７には、外部から電気的信号を入力するための電気コネクタが搭載されている。
【０００９】
駆動素子５およびフレキシブル回路基板６の電気的接続部は、電極部が露出すると、吐出口から飛散した液滴もしくは紙上より跳ね返ったインクが電極に付着して電極やその下地金属を腐食するため、該電極部はエポキシ樹脂等の封止性、イオン遮断性に優れた不図示の封止剤により被覆され、封止されている。
【００１０】
このような記録ヘッド２１００を複数個使用することでカラーの印刷を行うことのできるようにした、インクジェット記録装置を図２０に示す。
【００１１】
図２０には、上記の記録ヘッド２１００を４つ搭載し、それぞれ、イエロー、シアン、マゼンタ、ブラックの各色のインクが装填されている。給紙トレイ１００４に積載された記録媒体１００５は、記録媒体搬送ベルト１００２により搬送され、記録ヘッド２１００の下を通過する際に記録され、記録の終了した記録媒体１００５は、排紙トレイ１００３に積載される。記録媒体搬送ベルト１００２は、ベルトローラー１００１に巻回されており、ベルトローラー１００１は不図示の駆動モーターによって回転駆動力が与えられている。
【００１２】
このような、従来のインクジェット記録装置の加熱ヒーターの駆動回路の模式図を図２１に示す。上述のように、記録ヘッド２１００に加熱ヒーター１５０１は複数個設けられ、その各々の配線の一方は、記録ヘッド２１００内部において集結され、記録ヘッド２１００外部に設けられたＶＨ電源に電気的に接続される。加熱ヒーター１５０１のもう一方の配線は、各々の加熱ヒーター１５０１に一対一に対応して、駆動トランジスタ１５０２に接続する。駆動トランジスタ１５０２からの電源ラインは記録ヘッド２１００内部において集結され、これもまた、記録ヘッド２１００外部に設けられたＶＨ電源１５０８のもう一方の電極に電気的に接続する。このＶＨ電源１５０８からは一定の電圧が供給されている。駆動トランジスタ１５０２のゲート電極は、不図示の駆動制御回路に接続されており、このゲート電極を適宜制御することで、任意の加熱ヒーター１５０１を駆動し、任意の画像を記録することができるものである。
【００１３】
以上示したようなインクジェット記録ヘッドおよび、インクジェット記録装置が従来知られている。
【００１４】
【発明が解決しようとする課題】
しかしながら，上述した方法においては、以下のような課題があった。
【００１５】
まず、第１に、ＶＨ電源１５０８の電圧値の変動があった場合に、加熱ヒーター１５０１に印加される電圧に変動が生じるという問題がある。ＶＨ電源１５０８の電圧値は、設計上一定にすることを目標としているが、ＶＨ電源に供給される外部電圧の変動や、その使用環境の温度、湿度、その他の環境条件によって、ＶＨ電源からの出力電圧値に変動が生じてしまうことがある。また、ＶＨ電源を使用している間の負荷の大きさによってもＶＨ電源の出力電圧値に変動は生じるという問題がある。
【００１６】
上述したように、このような構成のインクジェット記録ヘッド２１００は、加熱ヒーター１５０１で、記録液であるインクを加熱発泡させてインクを飛翔させているが、ＶＨ電源１５０８の出力電圧に狂いが生じることで、加熱ヒーター１５０１に印加される電圧が不足すると、発泡不良が生じ、記録品位の劣化を引き起こし、記録不良となってしまう。
【００１７】
逆に加熱ヒーター１５０１に過剰の電圧が印加されると、加熱ヒーター１５０１が過熱してしまい、一度インクが発泡し、消泡した後、さらに再発泡してしまう、いわゆるリボイルという現象が生じ、不適切なインク吐出を行って記録品位を劣化させてしまったり、加熱ヒーター１５０１の過熱により、加熱ヒーター１５０１に大きな熱応力がかかって断線が生じる等、ヒーター寿命の劣化につながってしまっていた。
【００１８】
第２に、記録画像パターンによって、ＶＨ電源と接続する共通配線における電圧降下量に変動が生じると、それに伴い加熱ヒーター１５０１に印加される電圧の値が変動してしまうという問題が挙げられる。記録ヘッド２１００においては、記録画像パターンに応じて複数個の加熱ヒーター１５０１が同時に駆動される。その際、共通配線１５０３〜１５０６に流れる駆動電流の値は、同時に駆動する加熱ヒーター１５０１の個数によって異なる値となる。従って、共通配線１５０３〜１５０６における電圧降下の大きさが、同時に駆動する加熱ヒーター１５０１の個数によって異なることになり、結果として、加熱ヒーター１５０１に印加される電圧が変動することになる。その結果、やはり、上記の第１の問題と同様に記録不良や、ヒーター寿命の劣化につながってしまう、という問題点があった。
【００１９】
【課題を解決するための手段】
上記の課題を解決するべく、本発明は電源電圧値に応じた最適な駆動パルスで記録ヘッドを駆動できるようにし、電源電圧の変動に関わらず、ヒーター寿命を損なうことなく安定したインクの吐出を可能にする記録ヘッド、および記録装置を提供することを目的とする。
【００２０】
さらに、検出された電圧値が予め設定してある値の範囲外であった場合は、記録を停止して、異常な電圧の供給による記録ヘッドおよび記録装置の破損を防止することを他の目的とするものである。
【００２１】
かかるいずれかの目的を達成するべく、本発明にかかる記録装置およびその記録装置の制御方法は以下の構成を有することを特徴とする。
【００２２】
すなわち、外部機器から送信された情報に基づいて、記録ヘッドを記録媒体に対して相対的に走査させて記録を行う記録装置は、
前記外部機器から送信された情報を前記記録ヘッドの構成に合わせた記録データに変換する記録データ生成手段と、
前記変換された記録データを処理するために、記録素子に印加する電源電圧を供給する電源部と、
前記記録素子に供給される電圧値を検出する電圧検出部と、
前記記録素子を駆動する一定のエネルギを供給するために、前記検出された電圧値に応じて、前記電源電圧のパルス幅を設定する制御部と、を備えることを特徴とする。
【００２３】
好ましくは、上記の記録装置において、前記制御部は、前記電源電圧のパルス幅を変調して、前記電源電圧の電圧降下量を補正する。
【００２４】
好ましくは、上記の記録装置において、前記電圧検出部は前記記録ヘッド内に構成されている。
【００２５】
好ましくは、上記の記録装置において、前記記録素子を駆動するための駆動回路と、前記電圧検出部とが、同一の素子基板上に形成されている。
【００２６】
好ましくは、上記の記録装置において、前記記録素子はブロック単位に分割して駆動制御され、
前記電圧検出部は、前記記録素子に電源電圧が供給される前に、該ブロックと前記電源部との電圧値をそれぞれ検出し、
前記制御部は、該検出結果に基づいてパルス幅をブロック単位に設定する。
【００２７】
好ましくは、上記の記録装置において、前記電圧検出部は、前記記録素子の駆動中に前記電圧値を検出し、
前記制御部は、該検出結果に基づいて前記パルス幅の終端を設定する。
【００２８】
好ましくは、上記の記録装置において、前記制御部は、前記電圧検出部により検出されたされた電圧値が、許容範囲内にない場合は、前記記録素子の駆動を停止させる。
【００２９】
好ましくは、上記の記録装置において、前記記録ヘッドは、インクを吐出して記録を行うインクジェット記録ヘッドである。
【００３０】
好ましくは、上記の記録装置において、前記記録ヘッドは、熱エネルギーを利用してインクを吐出する記録ヘッドであって、インクに与える熱エネルギーを発生するための熱エネルギー変換体を備えている。
【００３１】
また、外部機器から送信された情報に基づいて、記録ヘッドを記録媒体に対して相対的に走査させて記録を行う記録装置の制御方法は、
前記外部機器から送信された情報を前記記録ヘッドの構成に合わせた記録データに変換する記録データ生成工程と、
前記変換された記録データを処理するために、記録素子に印加する電源電圧を電源部から供給する電源供給工程と、
前記記録素子に供給される電圧値を検出処理する電圧検出工程と、
前記記録素子を駆動する一定のエネルギを供給するために、前記検出された電圧値に応じて、前記電源電圧のパルス幅を設定する制御工程と、を有することを特徴とする。
【００３２】
好ましくは、上記の記録装置の制御方法において、前記記録素子に前記電源電圧のパルスを印加中に、前記電圧値検出工程を行い、前記検出された電圧値に応じて、前記印加中の電源電圧のパルス幅の終端を設定する。
【００３３】
【発明の実施の形態】
以下、図面を参照しつつ、本発明にかかる実施形態の内容を説明する。
【００３４】
＜第１実施形態＞
図１〜図１０は第１実施形態にかかるインクジェット記録ヘッドを説明する図である。図１はインクジェット記録ヘッドを模式的に示す斜視図であり、図２はインクジェット記録ヘッドのインク液吐出面の平面図である。図３（ａ）はインクジェット記録ヘッドを吐出口配列方向に直交するＹ−Ｙ矢視方向の断面図であり、図３（ｂ）は、液体吐出部の部分的な拡大断面図を示す。図４はインクジェット記録ヘッドを吐出口配列方向であるＸ−Ｘ矢視方向の断面図である。
【００３５】
図５はインクジェット記録装置を模式的に示す斜視図であり、図６はインクジェット記録ヘッドの電気回路を概略的に示す図、そして、図７はインクジェット記録ヘッドに搭載されている駆動素子５の構成を示すブロック図である。また、図８はインクジェット記録装置のシステムを模式的に示した構成図であり、図９はインクジェット記録装置の記録シーケンスを示したフローチャート、図１０はインクジェット記録装置における記録ヘッドの駆動電源の供給回路を模式的に示した回路図である。
【００３６】
本発明にかかる第１実施形態の特徴は、インクジェット記録ヘッドを駆動するためのＶＨ電源装置の出力電圧値を、ヘッド駆動の直前に測定し、得られた電圧値に応じて最適なヒーター駆動パルス幅を選択して、駆動素子に印加することにより、インクジェット記録ヘッドの寿命を損なうことなく安定したインク吐出を行うことのできるインクジェット記録ヘッド、インクジェット記録装置を提供することにある。
【００３７】
インクジェット記録ヘッドを図示する図１および図２において、素子基板１の中央付近の表面側に液体を吐出するための吐出口２が複数開口しており、これらの各吐出口２から吐出される液体の液滴によって記録を行うものである。素子基板１上には、各々の吐出口２に対応して吐出エネルギー発生素子としての発熱素子（加熱ヒーター）３（図３（ｂ）を参照）が形成されており、発熱素子３は通電加熱して液体を発泡させ、その運動エネルギーで液体を吐出口２から吐出させる。
【００３８】
発熱素子３には、外部からの電力を供給するための一対の配線（不図示）がそれぞれ接続され、これらの配線は、各々、素子基板１上に実装された発熱素子３を駆動するためのトランジスタ回路を搭載した駆動素子（ドライバーＩＣ）５に電気的に接続され、駆動素子５は、異方性導電フィルムを介してＣＯＢ（ｃｈｉｐ　ｏｎ　ｂｏａｒｄ）接続方法により、素子基板１に実装されている。
【００３９】
また、駆動素子５には、トランジスタ回路のほかにトランジスタを駆動するためのロジック回路が搭載されており、そのロジック回路は、素子基板１を介してフレキシブル回路基板６に接続され、ロジック回路を駆動する信号はフレキシブル回路基板６を介して与えられる。フレキシブル回路基板６は、異方性導電フィルム等によるＣＯＢ接続方法により、素子基板１とガラスエポキシ等の複合材料からなる回路基板（プリント基板）７にそれぞれ接続され、回路基板７には外部からの電気信号を入力するための電気コネクタ８が搭載されている。フレキシブル回路基板６は素子基板１及び支持部材１２の側面に固定されている。
【００４０】
また、図１ないし図４において、１５は平坦な面を形成するための前面プレートであって、素子基板１を保持するベースプレート１１にスペーサ１６を介して取り付けられ、また、フレキシブル回路基板６を配置する部分ではスペーサ１６上にフレキシブル回路基板６を配置しこのフレキシブル回路基板６上に取り付けられており、この前面プレート１５は、インクジェット記録ヘッドの待機時にインクの揮発成分の蒸発を防止するために吐出口２の領域を密閉するキャップ（不図示）を受ける部位を形成する。
【００４１】
なお、図には図示していないが、駆動素子５およびフレキシブル回路基板６の電気的接続部は、電極部が露出すると、吐出口２から飛散した液滴や媒体上から跳ね返った液体が電極に付着して電極やその下地金属を腐食するため、該電極接続部は、封止性およびイオン遮断性に優れたシリコン系樹脂等の封止剤により被覆、封止され、液体による接続信頼性の低下がないようにしてある。
【００４２】
また、素子基板１の背面側には、図３および図４に図示するように、ベースプレート１１および支持部材１２によって形成される、液体を保持するための共通液室１０が形成されており、共通液室１０は、吐出口列の長さと概略等しい長さで開口し、素子基板１にはその背面側の共通液室１０内の液体を表面側に供給するためのスリット４が設けられている。
【００４３】
共通液室１０は、図４に示すように、吐出口配列方向の両端部近傍にそれぞれインク供給口１３，１４が連通されており、通常の液体吐出時には、インクジェット記録ヘッドの外部のインク供給タンク（不図示）から双方のインク供給口１３，１４を通じてインクの供給を受ける構成となっている。
【００４４】
このようなインクジェット記録ヘッドを搭載したインクジェット記録装置を図５に示す。図５に示すインクジェット記録装置１２００には、４本のインクジェット記録ヘッド２１００が搭載されており、それぞれ不図示のイエロー、マゼンタ、シアン、ブラックの各色のインクが供給されており、これら４色を用いてカラー記録を行うものである。給紙トレイ１００４に積載された記録用紙１００５は、記録媒体搬送ベルト１００２によって搬送され、カラー記録用ヘッドユニット２１００の下を通過する際に各記録ヘッドユニット２１００から吐出されるインクにより記録が行われる。こうしてカラー画像が記録された記録媒体１００５は排紙トレイ１００３に積載される。記録媒体搬送ベルト１００２は、ベルトローラー１００１に巻回されており、この記録媒体搬送ベルト１００２上には、記録媒体１００５を確実に搬送することができるように、不図示の電極が排泄されている。これら電極に高電圧を印加することにより、静電気により記録媒体１００５を吸着して搬送することができるようになっている。
【００４５】
図６は、本実施形態にかかるインクジェット記録ヘッド２１００の回路配線を示す図である。本実施形態では、駆動素子５を８個（ＩＣ１〜ＩＣ８）使用しており、１個の駆動素子５で２５６個の加熱ヒーター１５０１の駆動を行っている。これら８個の駆動素子５は、２個ずつの駆動素子を４つのブロックに分割して駆動制御される。
【００４６】
そして各ブロックに記録データ信号（ＤＡＴＡ１〜４）、データ信号転送クロック（ＳＣＬＫ）、ラッチ信号（ＬＴ）、ＥＡ，ＥＢ，ＥＣ，ＥＧ信号（後述）が入力されており、駆動素子５のチップイネーブルに当たる信号ＳＥＬが、各ブロックごとに入力されている。また、加熱ヒーター１５０１を駆動する電気的パルスのパルス幅を決定する信号（ＥＮＢ１〜４）、温度センサー信号ＤｉＡ１〜３、ＤｉＣ１〜３、および電源ラインＶＤＤ、Ｌ−ＧＮＤ、ＶＨ、Ｐ−ＧＮＤが、各配線を通して入力されている。また、ＶＨとＰ−ＧＮＤ間の電圧をインクジェット記録ヘッド２１００の外部からモニターするためのモニター端子（ＶＨ−Ｍ、Ｐ−ＧＮＤ−Ｍ）が設けられている。
【００４７】
本実施形態にかかるインクジェット記録装置の加熱ヒーターの駆動回路の模式図を図１０に示す。上述のように、記録ヘッド２１００に加熱ヒーター１５０１は複数個設けられ、その各々の配線の一方は、記録ヘッド２１００内部において集結され、記録ヘッド２１００外部に設けられたＶＨ電源に電気的に接続される。加熱ヒーター１５０１のもう一方の配線は、各々の加熱ヒーター１５０１に一対一に対応して、駆動トランジスタ１５０２に接続する。駆動トランジスタ１５０２からの電源ラインは記録ヘッド２１００内部において集結され、これもまた、記録ヘッド２１００外部に設けられたＶＨ電源１５０８のもう一方の電極に電気的に接続する。このＶＨ電源１５０８からは一定の電圧が供給されている。駆動トランジスタ１５０２のゲート電極は、不図示の駆動制御回路に接続されており、このゲート電極を適宜制御することで、任意の加熱ヒーター１５０１を駆動し、任意の画像を記録することができるものである。
【００４８】
図６で説明したＶＨとＰ−ＧＮＤ間の電圧をインクジェット記録ヘッド２１００の外部からモニターするためのモニター端子（ＶＨ−Ｍ、Ｐ−ＧＮＤ−Ｍ）はＶＨ電圧モニタ回路１５０９に接続し、加熱ヒーターに印加する電圧を記録前の状態において検出することができる。
【００４９】
図７は、図６で説明した駆動素子５の構成を示すブロック図である。データ信号（ＳＩ：図６のＤＡＴＡ１〜４に同じ）は、データ転送クロック（ＳＣＫＩ：図６のＳＣＬＫに同じ）に同期して、２５６ビットのシフトレジスタ３０１に順次転送されて記憶される。このシフトレジスタ３０１に保持された２５６ビットデータは、ラッチ信号（ＬＴ＊：＊は負論理の信号を示す。以下同じ）により２５６ビットのラッチレジスタ３０２に送られて格納される。
【００５０】
ＥＡ＊，ＥＢ＊，ＥＣ＊，ＥＧ＊信号はいずれも負論理（Ｌｏｗ　Ｔｒｕｅ）の信号であり、８個の駆動素子を分散駆動するためにデコーダ３０３に入力される。ＥＡ＊，ＥＢ＊，ＥＣ＊，ＥＧ＊信号はラッチレジスタ３０２に格納された信号を８個のブロック単位で選択してドライバ３０４に出力する。こうして選択された信号は、加熱ヒーター１５０１を駆動するパルス幅を与えるＥＮＢ信号（ＥＮＢｎ）に応じて、その加熱ヒーター１５０１に対応するトランジスタを駆動して加熱ヒーター１５０１を駆動する。なお、ここで、ＥＡ＊，ＥＢ＊，ＥＣ＊信号はそれぞれ１ビットの信号で、デコーダ３０３の出力（端子１〜８）のいずれをハイレベルにするかを決定し、ＥＧ＊信号はこのデコーダ３０３の出力をイネーブルにするための信号である。
【００５１】
図８は、インクジェット記録装置のシステム構成を示すブロック図である。同図において、５００は制御部で、たとえばマイクロプロセッサ等のＣＰＵ５１０、ＣＰＵ５１０により実行される制御プログラムを記憶しているプログラムメモリ５１１、ＣＰＵ５１０による処理の実行時、ワークエリアとして使用されて各種データを一時的に記憶するＲＡＭ５１２等を備えている。５２０は、前述したインクジェット記録ヘッド２１００における、ＶＨ電源の電圧値を検出するための電源電圧検出部である。５０１はモータドライバであり、制御部５００からの指示に基づいてシート送りモータ５０２の回転を制御して、記録に使用される記録媒体の搬送を行っている。
【００５２】
図９は、インクジェット記録装置における制御処理の流れを説明するフローチャートであり、この処理を実行する制御プログラムはプログラムメモリ５１１に記憶されている。
【００５３】
まず、ステップＳ１で、ホストコンピュータ等の外部機器からのプリントデータを入力する。そして、１ライン分（ここでは２５６×８＝２０４８画素）のデータの作成が終了すると、その作成した画像データをクロック信号ＳＣＫＩに同期してインクジェット記録ヘッド２１００の各駆動素子５のシフトレジスタ３０１に送出する（ステップＳ２）。
【００５４】
１ライン分の記録データがＩＣ１〜８のシフトレジスタ３０１に格納されると、処理をステップＳ３に進め、ラッチ信号（ＬＴ＊）を出力して各駆動素子のラッチ回路３０２に、その記録データをラッチする。
【００５５】
次に処理をステップＳ４に進めて、駆動素子５を選択するＳＥＬＩ信号をハイレベルにして出力し、ステップＳ５で、グループ選択信号ＥＡ＊，ＥＢ＊，ＥＣ＊をすべて”０”（第１グループ選択）にして出力する。
【００５６】
ステップＳ６では、インクジェット記録ヘッド２１００上のＶＨ、Ｐ−ＧＮＤ間の電源電圧をＶＨ−Ｍ、Ｐ−ＧＮＤ−Ｍ端子を介して電源電圧検出部５２０にて測定する。
【００５７】
次に処理をステップＳ７に進めて、先のステップＳ６で測定された電圧値ＶＨをもとにして、あらかじめプログラムメモリ５１１に記憶されている最適パルス幅の設定を行う。このとき得られるパルス幅は、ステップＳ６で測定された電圧値が高ければ短く、逆に電圧値が低ければパルス幅を長いものが選択される。この電圧値と最適パルス幅の関係は、加熱ヒーター１５０１に印加されるトータルのエネルギーが設計値に最も近くなるように設定される。尚、このパルス幅の設定は、制御部５００におけるＣＰＵ５１０の制御の下に処理が実行される。
【００５８】
そして、処理をステップＳ８に進めて、ヒート信号（ＥＮＢ１〜４）をステップＳ７で選択されたパルス時間幅だけハイレベルにして出力する。これにより、前述のＥＡ＊，ＥＢ＊，ＥＣ＊で選択された発熱ヒーター１５０１が駆動され、これに対応する吐出口２からインクが吐出し、記録が行われる。
【００５９】
次に、処理をステップＳ９に進めて、１ラインの記録が終了したかどうかを調べ、終了していないとき（Ｓ９−ＮＯ）は、処理をステップＳ１０に進める。所定のウェイト時間をもってステップＳ１１に進み、ＥＡ＊，ＥＢ＊，ＥＣ＊信号を更新して、次の第２グループを選択する。こうして再びステップＳ６に進み、前述と同様にしてヒート信号（ＥＮＢ１〜４）をハイレベルにし、次のノズルグループによる記録を行う。
【００６０】
ステップＳ６からＳ９において順次グループを選択し、第８グループ（ＥＡ＊，ＥＢ＊，ＥＣ＊＝１）による記録が終了すると（Ｓ９−ＹＥＳ）、ステップＳ９から処理をステップＳ１２に進めて、１ページ分のプリント処理が終了したかを調べる。１ページ分の処理が終了していれば（Ｓ１２−ＹＥＳ）、この処理を終了するが、終了していないときは（Ｓ１２−ＮＯ）、処理をステップＳ１３に進めて、紙送りモータ５０２を回転駆動させて記録媒体を、たとえば解像度に応じた１ドット分だけ搬送して、処理をステップＳ３に戻す。
【００６１】
なお、この場合、ホスト等からのデータ受信、および記録データの作成、および、その記録データのシフトレジスタ３０１へのデータ転送等は、たとえば前のラインの記録中にバックグラウンドで実行されているため、ステップＳ３でラッチ信号を出力することにより、次のラインの記録データがラッチ回路３０２にラッチされることになる。
【００６２】
以上説明したように、本実施形態によれば、ＥＮＢ信号の出力の前にＶＨ電源の電圧値を測定しているため、ＶＨ電源１５０８の出力電圧値に変動があっても常にこれに対応した適切なパルス幅で発熱ヒーター１５０１を駆動することができる。このため、発熱ヒーター１５０１に印加するエネルギ量が足りなくて記録不良をおこしたり、逆にエネルギ量が大きすぎて発熱ヒーター１５０１の耐久寿命を劣化させることのない、インクジェット記録装置を提供することが可能になる。
【００６３】
＜第２実施形態＞
本発明にかかる第２実施形態について図１１〜１６を用いて説明する。
【００６４】
本実施形態と上述の第１実施形態との最大の相違点は、ＶＨ−Ｐ−ＧＮＤ間の電圧測定を加熱ヒーター１５０１を駆動している間に行い、その測定値に応じて駆動中のヒートパルスの終了時刻を決定することにある。
【００６５】
図１１は本実施形態にかかるインクジェット記録ヘッドを模式的に示す外観図である。本実施形態におけるインクジェット記録ヘッドと、第１実施形態における記録ヘッドとの外観上の差は、ＶＨ電圧モニタ回路１５０９（電源電圧検出部５２０（図５を参照のこと））が、回路基板７上に実装されている点のみである。図１２、図１３、図１４および図１５を用いてその記録ヘッドの動作シーケンスを説明する。
【００６６】
本実施形態におけるＶＨ電圧モニタ回路１５０９−２は、第１実施形態において、インクジェット記録ヘッドの外部に配置されていたもの（図１０の１５０９）とほぼ同様の機能を有しており、ＶＨ電源の電圧値を高速に測定し、その測定結果を制御部に転送する機能を有している。
【００６７】
図１５は、本実施形態におけるインクジェット記録装置における制御処理を示すフローチャートである。図１５においてステップＳ１０１からＳ１０５までの処理は、第１実施形態と同一であるため、その説明を省略する。
【００６８】
本実施形態においては、ステップＳ１０６において、発熱ヒーター１５０１に印加する電圧のパルスの幅を決定するヒート信号（ＥＮＢ）の出力を開始する。次にステップＳ１０７において、回路基板７上に実装されたＶＨ電圧モニタ回路１５０９−２（図１３）を用いてインクジェット記録ヘッド２１００上でのＶＨ電源電圧を測定する。そして、その測定値に応じて、印可中のヒート信号（ＥＮＢ）の最適パルス幅（パルス終端）を決定し（Ｓ１０８）、ステップＳ１０９において、先のステップＳ１０８で決定したパルス幅に応じてヒート信号（ＥＮＢ）の出力を終了する。
【００６９】
ここでいうステップＳ１０６における処理は、図１４（ａ）でいう時間領域Ｔ１に対応し、ステップＳ１０７の処理は時間領域Ｔ２に相当するタイミングで実行され、ステップＳ１０８における処理で、ＥＮＢ入力信号波形の立ち下がりのタイミングを決定する時間領域Ｔ３が決定される。
【００７０】
ステップＳ１０９におけるヒート信号（ＥＮＢ）の出力終了処理は、ステップＳ１０８の処理で決定したＴ３に基づき信号出力を終了する。
【００７１】
次に処理をステップＳ１１０に進め、１ライン分の記録が終了したかどうかを判断し、終了していなければ（Ｓ１１０−ＮＯ）、処理をステップＳ１１１、Ｓ１１２に進めてＥＡ＊，ＥＢ＊，ＥＣ＊を更新して次のブロックに相当するデータを記録して、１ライン分が終了していれば（Ｓ１１０−ＹＥＳ）、全プリントが終了したかどうかを判定し、終了していなければ（Ｓ１１３−ＮＯ）、記録媒体を送って次のラインを記録し、終了していれば（Ｓ１１３−ＹＥＳ）、動作を終了する。
【００７２】
図１４に（ＥＮＢ）入力信号波形（ａ）、ドライバトランジスタ３０４に流れる出力電流波形（ｂ）、ＶＨ電圧波形（ｃ）を示し、その具体的な関係を説明する。ここでＶＨ電圧モニタ回路１５０９−２が検出するＶＨ電圧は、図１３における接点Ａ、Ｂの２点間の電圧をモニタして得られる電圧である。
【００７３】
ヒート信号（ＥＮＢ）を出力した直後（図１４（ａ）に示すＴ１に相当する時間）に、ドライバトランジスタ３０４を流れる電流は、図１４（ｂ）に示したように、ばたつきを示し、一定時間（Ｔ１）の後、定常となり（図１４（ａ）に示すＴ２およびＴ３）、ヒート信号（ＥＮＢ）出力終了直後（図１４（ａ）に示すＴ４）、ばたつきを示した後、ゼロに収束する（図１４（ｂ））。このとき、ＶＨ電圧は、図１４（ｃ）に示すように、ドライバ出力電流が流れている間、電圧値が△ＶＨ分だけ降下する。このときの電圧降下量（△ＶＨ）の大きさは、電源ケーブル抵抗１５０７に流れている電流と、電源ケーブル抵抗１５０７の抵抗値の積で与えられる（図１３）。
【００７４】
本実施形態で使用したインクジェット記録ヘッドにおけるこれらの値の具体的な数値例を以下に示す。
【００７５】
本実施形態におけるＶＨ電源の電圧値は１７Ｖ、一本の加熱ヒーター１５０１に流れる電流値は約１２０ｍＡ、電源ケーブル抵抗１５０７の抵抗値の合計は０．１４Ωである。また、この加熱ヒーター１５０１を駆動する駆動パルス幅は、定格で０．８μｓとした。このケーブルを用いて、同時に６４本の加熱ヒーター１５０１を駆動した際に、電源ケーブル抵抗１５０７に流れた電流の合計値は、７．６８Ａになり、ＶＨ電源の電圧降下量（△ＶＨ）の値は、０．１４×７．６８＝１．１Ｖであった。
【００７６】
このとき、定格値のパルス幅０．８μｓを与えてヘッドを駆動したところ、印加電圧の不足による吐出不良が発生する。そこで、図１４（ｃ）に示すようなＶＨ電圧波形を測定したところ、
Ｔ１＝０．１６μｓ程度のところでＶＨ電圧波形のばたつきが収まっていたので、パルス印加後０．１６μｓ〜０．４６μｓ（Ｔ２＝０．３μｓ）の間にＶＨ電圧モニタ回路１５０９−２でＶＨ電源電圧を測定し、上記の１．１Ｖの電圧降下が生じても、電圧降下ゼロで０．８μｓのパルス幅が印加された場合と同じエネルギ投入量となるように、最適パルス幅０．９１μｓを設定し、Ｔ３＝０．４８μｓとしたところ、安定に吐出することが確認された。
【００７７】
また、この条件で加熱ヒーター１５０１の耐久記録試験を行ったが、電圧降下のない条件で０．８μｓで記録した場合とほぼ同様の寿命を持つことが確認された。
【００７８】
このように、本実施形態においては、加熱ヒーター１５０１を駆動し、駆動中のＶＨ電源電圧をリアルタイムに測定し、その電圧値に応じて最適なパルス幅を選択することで、記録データの負荷によってＶＨ電源電圧値が変動しても、加熱ヒーター１５０１に過不足なく最適なパルス幅を選択することができ、加熱ヒーター１５０１の寿命を損なうことなく安定した吐出を行うことのできるインクジェット記録ヘッドおよびインクジェット記録装置を提供することができるようにするものである。
【００７９】
なお、本実施形態においては、ＶＨ電圧モニタ回路１５０９は、インクジェット記録装置の回路基板７上に実装しているが、第１実施形態のように、ヘッドの外部に設けても同様の効果を得ることができる。もちろん、本実施形態のようにヘッドの内部に設けた方がより高速で正確な電圧測定が可能であり、本発明の適切な効果が期待できるのはいうまでもない。
【００８０】
＜第３実施形態＞
図１６及び図１７を用いて本発明にかかる第３実施形態について説明する。
【００８１】
本実施形態と、第１および第２実施形態との相違点は、ＶＨ電源の電圧測定を行った後、ＶＨ電圧の異常を判定するシーケンスを組み込んだことにある。
【００８２】
図１６は、第１実施形態に示したインクジェット記録ヘッドおよびインクジェット記録装置と同一の構成に対して、加熱ヒーターに印可するＶＨ電圧の異常判定シーケンスを追加したものである。具体的には、図１６に示すフローチャートにおいて、ステップＳ２０１、ステップＳ２０２が図９のフローチャートに追加されている点が相違する。図１６のフローチャートにおいて、図９と同一のステップ番号に対応する処理は同一の処理であるためここでは説明を省略する。
【００８３】
ステップＳ６にてＶＨ電源電圧を測定した後、処理をステップＳ２０１に進め、その測定値があらかじめ設定してある電源電圧の規制値の範囲内かどうかを判定する。電源電圧の測定値が規制値の範囲外の場合（Ｓ２０１−ＹＥＳ）、電圧異常有りとしてエラーコードを出力し（Ｓ２０２）、記録動作を実行せずに強制終了することで、異常電源電圧によるインクジェット記録ヘッド、記録装置の破損を防止するものである。
【００８４】
図１７は、第２実施形態に示したインクジェット記録ヘッドおよびインクジェット記録装置と同一の構成に対して、加熱ヒーターに印可するＶＨ電圧の異常判定シーケンスを追加したものである。具体的には、図１７に示すフローチャートにおいて、ステップＳ３０１、ステップＳ３０２が図１５のフローチャートに追加されている点が相違する。図１７のフローチャートにおいて、図１５と同一のステップ番号に対応する処理は同一の処理であるためここでは説明を省略する。ステップＳ１０７にてＶＨ電源電圧を測定した後、処理をステップＳ３０１に進め、その測定値があらかじめ設定してある電源電圧の規制値の範囲内かどうかを判定する。電源電圧の測定値が規制値の範囲外の場合（Ｓ３０１−ＹＥＳ）、電圧異常有りとしてエラーコードを出力し（Ｓ３０２）、記録動作を実行せずに強制終了することで、異常電源電圧によるインクジェット記録ヘッド、記録装置の破損を防止することができる。
【００８５】
ステップＳ３０１、３０２のシーケンスの追加は、図１６のステップＳ２０１、ステップＳ２０２と同様に、異常電源電圧によるインクジェット記録ヘッド、記録装置の破損を防止することを可能にする。
【００８６】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００８７】
また、以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００８８】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００８９】
この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００９０】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００９１】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書に記載された構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００９２】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００９３】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００９４】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００９５】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００９６】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００９７】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。
【００９８】
このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００９９】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【０１００】
【発明の効果】
以上説明したように、本発明によれば、電源電圧値に応じた最適な駆動パルスで記録ヘッドを駆動することができ、電源電圧の変動に関わらず、ヒーター寿命を損なうことなく安定した記録が可能になる。
【０１０１】
また、検出された電圧値が予め設定してある値の範囲外であった場合は、記録を停止して、異常な電圧の供給による記録ヘッドおよび記録装置の破損を防止することが可能になる。
【図面の簡単な説明】
【図１】インクジェット記録ヘッドを模式的に示す斜視図である。
【図２】インクジェット記録ヘッドのインク液吐出面の平面図である。
【図３】（ａ）はインクジェット記録ヘッドを吐出口配列方向に直交するＹ−Ｙ矢視方向の断面図であり、（ｂ）は、液体吐出部の部分的な拡大断面図を示す。
【図４】インクジェット記録ヘッドを吐出口配列方向であるＸ−Ｘ矢視方向の断面図である。
【図５】インクジェット記録装置を模式的に示す斜視図である。
【図６】インクジェット記録ヘッドの電気回路を概略的に示す図である。
【図７】インクジェット記録ヘッドに搭載されている駆動素子５の構成を示すブロック図である。
【図８】インクジェット記録装置の構成を模式的に示した構成図である。
【図９】インクジェット記録装置の記録シーケンスを示したフローチャートである。
【図１０】インクジェット記録装置における記録ヘッドの駆動電源の供給回路を模式的に示した回路図である。
【図１１】第２実施形態にかかるインクジェット記録ヘッドを模式的に示す外観図である。
【図１２】第２実施形態にかかるインクジェット記録装置の構成を模式的に示した構成図である。
【図１３】第２実施形態にかかるインクジェット記録装置における記録ヘッドの駆動電源の供給回路を模式的に示した回路図である。
【図１４】記録ヘッドを駆動する際のＥＮＢ入力信号波形、ドライバ出力電流波形、ＶＨ電圧波形の関係を示す図である。
【図１５】第２実施形態にかかるインクジェット記録装置の記録シーケンスを示したフローチャートである。
【図１６】第３実施形態にかかるインクジェット記録装置の記録シーケンスを示したフローチャートである。
【図１７】第３実施形態にかかるインクジェット記録装置の記録シーケンスを示したフローチャートである。
【図１８】従来例における記録ヘッドの斜視図である。
【図１９】従来例における記録ヘッドの上面図である。
【図２０】従来例における記録装置の斜視図である。
【図２１】従来例における記録装置の駆動電源回路を示す図である。
【符号の説明】
１　素子基板
２　吐出口
３　発熱素子
４　スリット
５　駆動素子
６　フレキシブル回路基板
７　回路基板
８　電気コネクタ
１０　共通液室
１１　ベースプレート
１２　支持部材
１３　インク供給口
１４　インク供給口
１５　前面プレート
１６　スペーサ
１９　スリット
３０１　シフトレジスタ
３０２　ラッチ回路
３０３　デコーダ
３０４　ドライバトランジスタ
５００　制御部
５０１　モータドライバ
５０２　紙送りモータ
５１０　ＣＰＵ
５１１　プログラムメモリ
５１２　ＲＡＭ
５２０　電源電圧検出部
１００１　ベルトローラー
１００２　紙搬送ベルト
１００３　排紙トレイ
１００４　給紙トレイ
１００５　記録用紙
１２００　インクジェット記録装置
１５０１　加熱ヒーター
１５０２　駆動トランジスタ
１５０３〜１５０６　共通配線
１５０７　電源ケーブル抵抗
１５０８　ＶＨ電源
１５０９　ＶＨ電圧モニタ回路
１５０９−２　ＶＨ電圧モニタ回路
２１００　記録ヘッド
【図１】
2004074747.tif 000003
【図２】
2004074747.tif 000004
【図３】
2004074747.tif 000005
【図４】
2004074747.tif 000006
【図５】
2004074747.tif 000007
【図６】
2004074747.tif 000008
【図７】
2004074747.tif 000009
【図８】
2004074747.tif 000010
【図９】
2004074747.tif 000011
【図１０】
2004074747.tif 000012
【図１１】
2004074747.tif 000013
【図１２】
2004074747.tif 000014
【図１３】
2004074747.tif 000015
【図１４】
2004074747.tif 000016
【図１５】
2004074747.tif 000017
【図１６】
2004074747.tif 000018
【図１７】
2004074747.tif 000019
【図１８】
2004074747.tif 000020
【図１９】
2004074747.tif 000021
【図２０】
2004074747.tif 000022
【図２１】
2004074747.tif 000023